(57)【要約】【課題】煩雑な操作・工程や高価な分離装置や測定装置を必要とすることなく簡便かつ廉価に所望とする塩基配列と形状を有する二本鎖のＤＮＡ  を簡単に検出、分取することが可能な新規なＤＮＡ識別機能材料を提供する。【解決手段】ＤＮＡ分子形状鋳型を有するポリマーからなり、該ＤＮＡ分子形状鋳型は、所定形状の二本鎖ＤＮＡを捕捉する大きさの空孔を持ち、かつ該空孔の表面には特定の塩基配列を認識する機能性物質が設けられているＤＮＡ分子識別機能材料。【選択図】  なし【特許請求の範囲】
【請求項１】
ＤＮＡ分子形状鋳型を有するポリマーからなり、該ＤＮＡ分子形状鋳型は、所定形状の二本鎖ＤＮＡを捕捉する大きさの空孔を持ち、かつ該空孔の表面には特定の塩基配列を有するＤＮＡを認識する機能性物質が設けられていることを特徴とするＤＮＡ分子識別機能材料。
【請求項２】
空孔が、ポリマー中にあらかじめ含有させたＤＮＡの溶出除去跡に形成されたものであることを特徴とする請求項１に記載のＤＮＡ分子識別機能材料。
【請求項３】
機能性物質が、所定形状の二本鎖ＤＮＡの融解温度を上昇させる機能性モノマーであることを特徴とする請求項１又は２に記載のＤＮＡ分
子識別機能材料。
【請求項４】
支持体上にＤＮＡ分子形状鋳型を有するポリマーが形成されていることを特徴とする請求項１乃至３何れかに記載のＤＮＡ分子識別機能材料。
【請求項５】
支持体が表面処理されていることを特徴とする請求項４記載のＤＮＡ分子識別機能材料。
【請求項６】
支持体が金又はガラスであることを特徴とする請求項４又は５に記載のＤＮＡ分子識別機能材料。
【発明の詳細な説明】
【０００１】
【発明の属する技術分野】
本発明は、様々な塩基配列と形状を有するＤＮＡ混合液より、所望の塩基配列と形状を有する二本鎖ＤＮＡを認識・識別し得る新規なＤＮＡ分子識別機能材料に関する。
【０００２】
【従来の技術】
最近、ゲノムＤＮＡ  の塩基配列が解明されるに従い、これら塩基配列情報を利用した測定技術、応用に関する開発が盛んに行われるようになった。Ｐｏｌｙｍｅｒａｓｅ  ｃｈａｉｎ  ｒｅａｃｔｉｏｎ  （ＰＣＲ）やハイブリダイゼーションは、古くから遺伝子研究に多用され、ハイブリダイゼーションを応用したＤＮＡ検出チップは、遺伝子診断の用に供するため、医療の分野に進出しつつある（非特許文献１〜３参照）。
これらの技術は、一本鎖ＤＮＡ（プローブ鎖）と、プローブ鎖と相補的配列を持つＤＮＡが結合し、二本鎖を形成することを原理とする。例えばＤＮＡ検出チップは、検出目的の塩基配列を有するプローブＤＮＡを基板上に固定し、あらかじめ蛍光標識を行った検体ＤＮＡと接触させた後、洗浄し、プローブＤＮＡ  に対して相補的配列を持つＤＮＡが検体中に含まれていた場合にのみ、プローブ鎖との二本鎖が形成され蛍光検出される方法である。
【０００３】
しかしながら、ＰＣＲは、目的とする塩基配列のＤＮＡを識別するために有用な方法であるが、反応後、反応副産物を除くため、電気泳動を行う必要があり、また目的とするＤＮＡを分取するためにはさらに泳動後のゲルを切り出し、カラム等を用いてゲルよりＤＮＡを抽出しなければならない。
【０００４】
また、ハイブリダイゼーションは、電気泳動後、泳動パターンをメンブレンフィルターに電気的に写し取った後、検出目的のＤＮＡ配列と相補的配列を持つプローブＤＮＡと接触させ、洗浄し、さらにプローブＤＮＡ  と二本鎖が形成された検出部分を視覚化する必要がある。
【０００５】
更に、ＤＮＡ検出チップは、ハイブリダイゼーションの手間を大幅に短縮するものの、プローブＤＮＡを基板に固定化する技術が難しく、また基板の価格が高いうえ、検出には、蛍光分光光度計など高価な装置が必要である。
【０００６】
そのため、目的とする塩基配列と形状の二本鎖のＤＮＡ  を簡単に検出、分取することができ、しかも高価な分離精製器具や測定装置を必要としない方法が強く求められているのが現状である。
【０００７】
【非特許文献１】
加藤郁之進、「ＰＣＲ法の原理と応用」蛋白質核酸酵素３５  （１９９０）  ２９５７−２９７６．
【非特許文献２】
山下健一、竹中繁織、高木  誠、「ＤＮＡ検出チップ」ぶんせき，５，（２００２）  ２２７−２３２．
【非特許文献３】
松永  是、「ＤＮＡチップ応用技術」、シーエムシー
【０００８】
【発明が解決しようとする課題】
本発明は、煩雑な操作や工程が省かれると共に高価な精製・分離器具や測定装置を必要とすることなく簡便かつ廉価に目的とする塩基配列と形状を有する二本鎖のＤＮＡ  を簡単に検出、分取することが可能な新規なＤＮＡ識別機能材料を提供することを目的とする。
【０００９】
【課題を解決するための手段】
本発明者は、上述の課題を解決すべく鋭意研究を進めた結果、所定形状の二本鎖ＤＮＡを補足する大きさの空孔を持ち、かつ該空孔の表面に特定の塩基配列を有するＤＮＡを認識する機能性物質を設けたＤＮＡ分子形状鋳型が、ＤＮＡ分子の識別材料として有効であることを知見した。本発明はかかる知見に基づいてなされたものである。
【００１０】
すなわち、本発明によれば、以下の発明が提供される。
（１）ＤＮＡ分子形状鋳型を有するポリマーからなり、該ＤＮＡ分子形状鋳型は、所定形状の二本鎖ＤＮＡを捕捉する大きさの空孔を持ち、かつ該空孔の表面には特定の塩基配列を認識する機能性物質が設けられていることを特徴とするＤＮＡ分子識別機能材料。
（２）空孔が、ポリマー中にあらかじめ含有させたＤＮＡの溶出除去跡に形成されたものであることを特徴とする上記（１）に記載のＤＮＡ分子識別機能材料。
（３）機能性物質が、所定形状の二本鎖ＤＮＡの融解温度を上昇させる機能性モノマーであることを特徴とする上記（１）又は（２）に記載のＤＮＡ分子識別機能材料。
（４）支持体上にＤＮＡ分子形状鋳型を有するポリマーが形成されていることを特徴とする上記（１）乃至（３）何れかに記載のＤＮＡ分子識別機能材料。
（５）支持体が表面処理されていることを特徴とする上記（４）に記載のＤＮＡ分子識別機能材料。
（６）支持体が金又はガラスであることを特徴とする上記（４）又は（５）に記載のＤＮＡ分子識別機能材料。
【００１１】
【発明実施の形態】
本発明のＤＮＡ分子識別機能材料は、たとえば、所望とする二本鎖ＤＮＡと該ＤＮＡの特定の塩基配列を認識する機能性物質とから自己集合体を形成する工程（第１工程）、該自己集合体と原料モノマーを重合させて二本鎖ＤＮＡと機能性物質を含有するポリマーを形成する工程（第２工程）、該ポリマーから鋳型二本鎖ＤＮＡを除去し、その溶出除去跡に所望とするＤＮＡ分子形状鋳型となる空孔を形成する工程（第３工程）を経て作成される。
【００１２】
第１工程では、所望とする二本鎖ＤＮＡ（鋳型二本鎖ＤＮＡ）  溶液に機能性物質を混合し、二本鎖ＤＮＡ表面に機能性物質を自己集合させる操作を行う。  この工程で用いられる機能性物質とは、二本鎖ＤＮＡの特定の塩基配列を認識し、該塩基配列の表面に非共有的に結合すると共に原料モノマーと重合し得る物質を意味する。
【００１３】
このような機能性物質としては、たとえば、ビニル基を１つ以上有する低分子の機能性モノマーを挙げられる。機能性モノマーの具体例としては、たとえば、ビニル基を１つ以上含むピリジン誘導体、ピリミジン誘導体、トリアゾール誘導体、ピロール誘導体、イミダゾール誘導体、インドール誘導体、プリン誘導体、それらのポリアミド誘導体、ポリアミン誘導体等を挙げることができる。
更に具体的には、２−ｖｉｎｙｌ−４，６−ｄｉａｍｉｎｏ−１，３，５−ｔｒｉａｚｉｎｅ（ＶＤＡＴ），  ７−ａｌｌｙｌ−７，８，−ｄｉｈｙｄｒｏ−８−ｏｘｏ−ｇｕａｎｏｓｉｎｅ  などが挙げられる。
【００１４】
特に、２−ｖｉｎｙｌ−４，６−ｄｉａｍｉｎｏ−１，３，５−ｔｒｉａｚｉｎｅ（ＶＤＡＴ），  ７−ａｌｌｙｌ−７，８，−ｄｉｈｙｄｒｏ−８−ｏｘｏ−ｇｕａｎｏｓｉｎｅは、二本鎖ＤＮＡ分子を分解させることなくＤＮＡに結合し、その融解温度を上昇させる特性を有すること、また二本鎖ＤＮＡの特定の塩基配列と簡便かつ安定に自己集合することから最も好ましく使用される。
これらの機能性モノマーは、識別対象となる鋳型二本鎖ＤＮＡ  溶液に単独又は２種以上混合させて用いられる。
【００１５】
鋳型二本鎖ＤＮＡ  や機能性物質を溶解する溶媒としては、蒸留水、精製水、超純水等の水の他、各種塩溶液、リン酸等から成るｐＨ緩衝液が用いられる。各種塩溶液、ｐＨ緩衝液を用いる場合は、二本鎖ＤＮＡの変性を起こさない濃度、ｐＨでなければならない。二本鎖ＤＮＡ  と機能性物質の混合比は、用いるＤＮＡ  配列や形状により異なる。二本鎖ＤＮＡと機能性モノマーは混合後、たとえば室温あるいは冷蔵庫で２時間以上放置することにより、二本鎖ＤＮＡ  の特定の塩基配列の表面に機能性モノマーが結合した自己集合体が得られる。
【００１６】
第２工程では、第１工程で作成した二本鎖ＤＮＡと機能性モノマーの自己集合体溶液と原料モノマーを混合し、重合させる操作を行う。ここで用いられる原料モノマーとしては、ビニルモノマーが好ましく、またこれらの重合を促進させると共に、安定な形状を持つ空孔の形成を図るために架橋剤を用いることが好ましい。
【００１７】
ビニルモノマーとしては、通常ビニル基を有する水溶性有機化合物が用いられる。例えば、アクリル酸、メタクリル酸、スチレンスルホン酸、これら酸のアルカリ金属塩、アクリルアミド、メタクリルアミド、Ｎ，Ｎ−ジメチルアミノプロピルアクリルアミド、Ｎ，Ｎ−ジメチルアミド等である。これらのビニルモノマーは単独又は２種以上の混合物の形で用いられる。
【００１８】
架橋剤としては、分子中にビニル基を少なくとも２個有する水溶性有機化合物が用いられる。例えばＮ，  Ｎ´−（１，２−ジヒドロキシエチレン）ビスアクリルアミド、Ｎ，  Ｎ´−メチレンビスアクリルアミド等である。
【００１９】
ビニルモノマーと架橋剤の混合割合は、好ましくは、ビニルモノマー１００重量部当たり架橋剤３０重量部以上であるが、架橋剤の混合割合はできるだけ多い方がよい。これらのモノマーと架橋剤は、第１工程で作成したＤＮＡと機能性モノマーの自己集合体溶液に加えられる。ビニルモノマーと架橋剤混合物の溶媒中の濃度は、溶媒１リットル当たり２０ｇ以上であるがＤＮＡの変性を生じない範囲でできるだけ多い方が好ましい。
【００２０】
ＤＮＡと機能性モノマーの自己集合体溶液にビニルモノマーと架橋剤混合液を加えた後、窒素ガスをバブリングして溶液中の酸素を追い出し、重合開始剤（例えば、過硫酸アンモニウム等）および重合促進剤（例えば、Ｎ，Ｎ，Ｎ´，  Ｎ´−テトラメチレンジアミン等）を加え、放置し重合させて材料を得る。得られるポリマーは、重合させる際に用いられる容器の形に応じて整形されるので、使用目的に応じて材料の形状を決めることが可能である。例えば、ＤＮＡ認識部位を多くする目的ならば、薄い板状あるいは、細かい粒状にし、材料の表面積を大きくするのが好ましい。
【００２１】
第３工程では、第２工程で得たポリマーから、鋳型二本鎖ＤＮＡを除去し、その溶出除去跡に所望とするＤＮＡ分子形状鋳型となる空孔を形成する。
具体的には、第２工程で得たポリマーを洗浄し、鋳型ＤＮＡの除去を行う。材料の洗浄は、６〜８Ｍ尿素溶液、塩酸グアニジン、各種界面活性剤の溶液等を用い、上澄みに鋳型ＤＮＡが溶出されなくなるまで溶液を入れ替えて繰り返し行う。
【００２２】
本発明のＤＮＡ分子識別機能材料は、そのままで使用してもよいが、あらかじめ支持体上にＤＮＡ分子形状鋳型を有するポリマーを設けた形態で使用することも可能である。
【００２３】
この場合、支持体としては、無機系又は有機系の固体物質が用いられ、これらのものは多孔質であっても非多孔質であってもよい。無機系支持体としては、シリカゲル、アルミナ、チタニア、ジルコニア、シリカ−アルミナ、ゼオライト、ガラス、金等が挙げられるが、ガラスや金の使用が好ましい。有機系支持体としては、メラミン樹脂ビーズの如き硬化樹脂ビーズが好ましく使用される。支持体の形状は、粉末状、粒状、プレート状等の各種の形状であることができる。支持体としては、ポリマーとの結合強度を高めるために、表面処理したものを用いることが好ましい。
【００２４】
たとえば支持体として、ガラスを用いた場合には、表面処理剤としては、ビニル基を結合させたものの使用が好ましい。このようなビニル基を表面に有する支持体は、ビニル基を有するシランカップリング剤を用いて支持体を表面処理することにより得ることができる他、アミノ基等の活性水素を有する官能基を表面に有する支持体に塩化アクリロイル等の反応性ビニル化合物を反応させることによって得ることができる。このようなビニル基を有する支持体を用いるときには、支持体上に形成される重合体膜は、このビニル基と反応結合しているため、支持体に強固に結合したものとなる。
【００２５】
また、支持体として、金を用いた場合には、ビニル基を有し、かつ金表面と共有結合させるための−ＳＨ基や−Ｓ−Ｓ−結合を持つ有機化合物（例えばＮ，Ｎ´−ビス（アクロイル）−シスタミンなど）を接触させることで、金表面にビニル基を導入することができる。
【００２６】
機能性モノマーとしてＶＡＤＴを、支持体として金を用いた本発明のＤＮＡ分子識別機能材料の作成フローチャートを図１に示す。
【００２７】
本発明のＤＮＡ分子識別機能材料は、ＤＮＡ分子形状鋳型を有するポリマーからなり、該ＤＮＡ分子形状鋳型は、所定形状の二本鎖ＤＮＡを補足する大きさの空孔を持ち、かつ該空孔の表面には特定の塩基配列を認識する機能性物質が設けられている、いわゆる人工の受容体である。
【００２８】
したがって、本発明のＤＮＡ分子識別機能材料は、様々な塩基配列、様々な形状のＤＮＡ混合液に接触させるだけで、所望とするＤＮＡを検出、分取でき、上述した従来のような手間のかかる操作を省略することが可能である。
【００２９】
さらに二本鎖ＤＮＡを鋳型分子として使用すれば、二本鎖のみを認識することが可能である。例えば、ＰＣＲに関しては、反応溶液に接触させるだけで、目的とする塩基配列と形状を有する二本鎖ＤＮＡを識別・認識し、検出、分取することが可能である。
【００３０】
また、水晶振動子（ＱＣＭ）検出部表面に当材料を被覆し、ＰＣＲ反応液に接触させれば、検出試薬など加えることなしに、リアルタイムで反応の進行度合いを確認することが可能である。
【００３１】
ハイブリダイゼ−ションの応用に関しては、反応後の溶液をこの材料と接触させるだけで、目的とする塩基配列と形状を持つ二本鎖ＤＮＡを検出、分取することが可能である。ＰＣＲの場合と同様、ＱＣＭとの組み合わせで、リアルタイムに反応の様子が観察できる。
したがって、本発明の分子インプリンティング法によるＤＮＡ分子識別機能材料は、ＤＮＡ検出チップの基板とは異なり、特別な装置などを必要とせずに通常の実験室規模で簡単に安価に操作でき、その作成が簡便なものである。
【００３２】
【実施例】
次に本発明を実施例によりさらに詳細に説明するが、本発明を限定することを意図するものではない。
【００３３】
実施例１
［ガラス表面上に重合させたＤＮＡ識別機能を持つ材料の調製］
あらかじめメタノール：塩酸混合溶液に浸漬、洗浄したスライドガラスを、５０ｍＭの３−（ｔｒｉｍｅｔｈｏｘｙｓｉｌｙｌ）ｐｒｏｐｙｌｍｅｔｈａｃｒｙｌａｔｅエタノール溶液で処理し、ガラス表面にシランコーテイングを施した。このスライドガラス表面に、表１の処方にしたがって処方１〜６のＤＮＡ識別機能材料を調製した。
このＤＮＡ識別機能材料の作成方法を処方６を例に取り以下に説明する。
鋳型分子の二本鎖ＤＮＡは、病原性大腸菌ベロ毒素由来二本鎖ＤＮＡの一部（３４塩基対）を用い、５０ｍＭ  ＨＥＰＥＳ（２−［４−（２−ｈｙｄｒｏｘｙｅｔｈｙｌ）−１−ｐｉｐｅｒａｚｉｎｙｌ］ｅｔｈａｎｅｓｕｌｆｏｎｉｃ  ａｃｉｄ）  緩衝液（ｐＨ７．３）  １．７ｍＭ濃度となるよう溶解した。ここにＶＤＡＴ  （機能性モノマー）  を１７ｍＭ濃度となるよう溶解し、二本鎖ＤＮＡと機能性モノマーの自己集合体溶液を作成した。放置後、さらにアクリルアミド（ＡＡｍ）を０．１３Ｍ、Ｎ，Ｎ´−メチレンビス（アクリルアミド）（Ｂｉｓ）を０．１３Ｍ濃度となるように加え、窒素ガスをバブリングして、溶液中の空気を除いた。０．２ｇ／ｍｌの過硫酸アンモニウム溶液（重合開始剤）０．２ｖ／ｖ％およびＮ，Ｎ，Ｎ´，  Ｎ´−テトラメチレンジアミン（重合促進剤）０．０５ｖ／ｖ％を加え混合した後、この溶液２０μｌをシランコーテイングしたスライドガラスの上に滴下し、カバーグラスをかけて室温で１時間以上放置して重合させた。重合後、カバーグラスを剥がし、０．１Ｍの塩酸グアニジンを含む５０ｍＭ  ＨＥＰＥＳ緩衝液（ｐＨ７．３）で洗浄した。上澄みにＤＮＡが検出されなくなるまで繰り返し液を入れ替えて洗浄した後、５０ｍＭ  ＨＥＰＥＳ緩衝液（ｐＨ７．３）ですすぎ、使用するまで、同緩衝液中に保存し、処方６のＤＮＡ識別機能材料を作成した。
なお処方１のＤＮＡ識別機能材料は、鋳型ＤＮＡ、ＡＡｍ、Ｂｉｓを添加しない以外は、処方６と同様に操作することにより得たものである。処方２のＤＮＡ識別機能材料は、ＡＡｍ、Ｂｉｓを添加しない以外は、処方６と同様に操作することにより、処方３のＤＮＡ識別機能材料は、鋳型ＤＮＡ、ＡＡｍを添加しない以外は、処方６と同様に操作することにより、処方４のＤＮＡ識別機能材料は、ＡＡｍを添加しない以外は、処方６と同様に操作することにより、処方５のＤＮＡ識別機能材料は、鋳型ＤＮＡを添加しない以外は、処方６と同様に操作することによりそれぞれ得たものである。
【００３４】
【表１】
2004150943.tif 000002
【００３５】
［ＤＮＡ識別機能の確認］
前記鋳型作成時に使用したものと同じベロ毒素由来日本鎖ＤＮＡの末端をＦＩＴＣ（ｆｌｕｏｒｅｓｃｅｉｎ  ｉｓｏｔｈｉｏｃｙａｎａｔｅ）で蛍光標識したものを５０ｍＭ  ＨＥＰＥＳ緩衝液（ｐＨ７．３）に２０μＭ濃度となるように溶解した溶液を調製した。またネガティブコントロールとしてＦＩＴＣで末端を標識したｐｏｌｙ  ｄＣ−ｐｏｌｙ  ｄＧ（３４塩基対）を用い、  ２０μＭ濃度となるように５０ｍＭ  ＨＥＰＥＳ緩衝液（ｐＨ７．３）に溶解した溶液を調製した。
ついで、前記処方１〜６で得た材料を、上記の各々の溶液に２時間浸漬し、５０ｍＭ  ＨＥＰＥＳ  緩衝液（ｐＨ７．３）ですすいだ後、材料表面に残った蛍光強度をイメージアナライザーで測定した。その結果を図２に示す。
図２の結果から、鋳型ＤＮＡ、ＶＤＡＴ、ＡＡｍ、Ｂｉｓを加えた処方６の材料、すなわち鋳型ＤＮＡによって材料表面に空孔が作成され、目的のＤＮＡを認識するためのＶＤＡＴが配置された材料の蛍光強度が最も高く、ネガティブコントロールＤＮＡとの差も大きいことから、ベロ毒素由来二本鎖ＤＮＡの認識能力が高いことがわかった。また、処方５と処方６を比較すると、処方５の蛍光強度は低く、鋳型ＤＮＡを含まない処方５の材料、すなわち空孔がなく、ＶＤＡＴが目的のＤＮＡ  と関係なくランダムに配置された材料は、ベロ毒素由来二本鎖ＤＮＡの認識能力が低いことがわかった。
【００３６】
実施例２
［金表面上に重合させたＤＮＡ識別機能を持つ材料の調製］
金表面に２０ｍＭ  Ｎ，Ｎ´−ビス（アクロイル）−シスタミンを含む５０ｍＭ  ＨＥＰＥＳ緩衝液（  ｐＨ７．３）を１時間以上接触させて、金表面にＤＮＡ識別機能材料を重合させるためのビニル基が導入された支持体を作成した。
この支持体を実施例１の処方５及び６のシランコーテイングしたスライドガラスの代わりに用いた以外は同様に操作して、ＤＮＡ識別機能材料を作成した。
【００３７】
［表面プラズモン共鳴（ＳＰＲ）への応用］
実施例２で作成した金表面上に重合させたＤＮＡ識別機能を持つ材料をＳＰＲの検出部分に設置し、測定が可能であるか否かを検討した。処方５の材料で被覆した金表面と処方６の材料で被覆した金表面の各々に、ベロ毒素由来二本鎖ＤＮＡを１００ｎＭ濃度となるよう５０ｍＭ  ＨＥＰＥＳ緩衝液（ｐＨ７．３）に溶解したものを適用し、ＳＰＲの反応をタイムコースで記録した。結果を図３に示した。モニター開始より約８０秒の所で、ベロ毒素由来の二本鎖ＤＮＡ溶液を適用し、約６５０秒のところで５０ｍＭ  ＨＥＰＥＳ緩衝液（ｐＨ７．３）に切り替え材料表面を洗浄した。約８０  秒付近のＤＮＡ溶液を適用した時の反応の立ち上がり方、約６５０秒のところのＨＥＰＥＳ緩衝液を適用した時の反応の減少の仕方に差がみられた。これら反応の立ち上がりと減少の部分は、ＤＮＡ認識機能を持つ材料とベロ毒素由来の二本鎖ＤＮＡとの会合定数と解離定数に影響を受ける部分であるので、処方５と処方６の材料はベロ毒素由来の二本鎖ＤＮＡに対して異なる会合定数と解離定数を有することが確認された。異なった処方材料に対し異なった反応プロファイルが見られたことから、ＳＰＲやこれと同じく金表面を検出部分とするＱＣＭへの応用可能であることがわかった。
【００３８】
【発明の効果】
本発明のＤＮＡ分子識別機能材料は、従来のような、煩雑で手間のかかる操作や高価な分離装置や測定装置を必要とすることなく、様々な塩基配列と形状を有するＤＮＡ混合液に単に接触させるだけで、所望とする塩基配列と形状を有する二本鎖のＤＮＡ  を簡単に検出、分取することができる。
したがって、工業的に極めて有利なＤＮＡ分子識別機能材料ということができる。
【図面の簡単な説明】
【図１】金を支持体とする本発明のＤＮＡ分子識別機能材料の作成フローチャート。
【図２】ＤＮＡ識別機能材料に、ＦＩＴＣ標識したベロ毒素由来二本鎖ＤＮＡ溶液およびＦＩＴＣ標識ネガティブコントロールＤＮＡ溶液を接触させた時の材料表面の蛍光強度を示すグラフ。
【図３】実施例２で得た、処方５と処方６の材料をＳＰＲ検出部分（金表面）に重合しベロ毒素由来二本鎖ＤＮＡ溶液に接触させた時のＳＰＲの特性を表すグラフ
【図１】
2004150943.tif 000003
【図２】
2004150943.tif 000004
【図３】
2004150943.tif 000005